(57)【要約】【課題】画像を視認するための眼鏡において、視力矯正用眼鏡と併用した場合に適正な位置に装着する。【解決手段】表示装置に表示された画像を左右の眼で視認するための開口が設けられ、視力調整用眼鏡の上からユーザの頭部に装着されるフレーム部１０２と、フレーム部１０２に取り付けられ、ユーザの側頭部に保持されるテンプル部１１２と、フレーム部１０２に設けられ、視力調整用眼鏡の鼻当て部よりも下側でユーザの鼻に接触し、塑性変形可能に構成された鼻当て部１１０と、を備える。【選択図】図２
2011065017.tif 000002
【特許請求の範囲】
【請求項１】
表示装置に表示された画像を左右の眼で視認するための開口が設けられ、視力調整用眼鏡の上からユーザの頭部に装着されるフレーム部と、
前記フレーム部に取り付けられ、ユーザの側頭部に保持されるテンプル部と、
前記フレーム部に設けられ、前記視力調整用眼鏡の鼻当て部よりも下側でユーザの鼻に接触し、塑性変形可能に構成された鼻当て部と、
を備える、画像鑑賞用眼鏡。
【請求項２】
表示装置に表示された画像を左右の眼で視認するための開口が設けられ、視力調整用眼鏡の上からユーザの頭部に装着されるフレーム部と、
前記フレーム部に取り付けられ、ユーザの側頭部に保持されるテンプル部と、
前記フレーム部に設けられ、ユーザの鼻に対して両側から挟むように接触し、両端の幅が少なくとも１２ｍｍ以上に開く鼻当て部と、
を備える、画像鑑賞用眼鏡。
【発明の詳細な説明】
【技術分野】
【０００１】
本発明は、画像鑑賞用眼鏡に関する。
【背景技術】
【０００２】
従来から、立体映像を鑑賞する為、左目用画像と右目用画像とを表示し、偏光角の異なる２枚の偏光板や、左右画像と同期した偏光状態を交互に切り替えることの出来る２枚の液晶シャッターを用いた眼鏡型のホルダーを頭部に装着することが行われている。また、バーチャルリアリティー鑑賞や、小型の液晶パネル映像をミラー等の光学系を介してダイレクトに鑑賞する頭部搭載型ディスプレイ装置も一般に知られてきている。
【０００３】
例えば、下記の特許文献１では、フレームのテンプル部（耳掛け部）と鼻に接触して眼鏡枠を支える鼻当て(保持部)により、瞳の位置と光軸の一致を測る構成を取っている。また、特許文献２では、テンプル幅を可変するスライド機構を眼鏡型ホルダー上部に設けることにより、頭部サイズの異なる人への対応や、装着感を高めることも行われている。
【０００４】
鼻当て部については、特許文献３に記載されているように、一般の視力矯正用眼鏡フレームの鼻当ての多くは細いパッドアームをリム部にロウ付けなどにより接合しており、装着するパッド自体を交換可能としているものがある。鼻当ては眼鏡フレーム(リム部)に固定されており、多くはレンズフレームの外形状からあまり飛び出さずに鼻上部(目頭附近)に配置される物が多用されている。特許文献４では、鼻当て部にサドル型の形状を用い、この樹脂性アタッチメント自体を抜き差し可能に交換できるようにしている。
【先行技術文献】
【特許文献】
【０００５】
【特許文献１】特開２００１−３０５４７５号公報
【特許文献２】特開平４−２３５８１号公報
【特許文献３】特開２００７−２４０７００号公報
【特許文献４】特開２００６−９１６４１号公報
【発明の概要】
【発明が解決しようとする課題】
【０００６】
しかしながら、一般的な眼鏡フレームやテンプル部の材料は、メタル(ニッケル・チタン合金や金、形状記憶合金、等)製やプラスチック（アセテート素材や、超弾性樹脂）製が多く、形状の微調整（塑性変形）を行う為には専門の熟練技術や装置、ジグが必要不可欠である。
【０００７】
立体映像を鑑賞する為には、左目用画像と右目用画像とを表示し、偏光角の異なる２枚の偏光板や、左右画像に同期した偏光状態を交互に切り替える事の出来る２枚の液晶シャッターを備えた眼鏡型ホルダーを頭部に装着する必要がある。テレビに付属品として同梱するためには、視力矯正用の眼鏡装着者も含めた、男性から女性、大人から子供まで頭部の幅の異なる利用者に一つの付属の眼鏡ホルダーで対応することが必要である。
【０００８】
上述したいずれの従来技術においても、このような様々な頭部の大きさへの対応を図ることは考慮されていない。特許文献２では、頭部の幅に対しテンプル幅可変機構を設けているが、軽量化も課題である為、複雑な可動機構を眼鏡ホルダー上部に設けることは好ましくない。尚且つ、一般の視力矯正用眼鏡ホルダー自体のフィッティング（眼鏡調整）においても、専門の熟練技術者、専門の装置、ジグ無しでは、頭部幅の異なる利用者へのテンプル部（耳掛け部）、鼻当て部等への、初期形状からの塑性変形を伴う形状の微調整を利用者自身が行うことは考慮されていない。立体映像等を視聴する為の、頭部搭載型眼鏡ホルダーに於いては、視力矯正用眼鏡ホルダーとの併用や頭部サイズの異なる使用者への簡単なサイズ調整対応等は考慮されていないことが一般的である。
【０００９】
そこで、本発明は、上記問題に鑑みてなされたものであり、本発明の目的とするところは、画像を視認するための眼鏡において、視力矯正用眼鏡と併用した場合に適正な位置に装着することが可能な、新規かつ改良された画像視認用眼鏡を提供することにある。
【課題を解決するための手段】
【００１０】
上記課題を解決するために、本発明のある観点によれば、表示装置に表示された画像を左右の眼で視認するための開口が設けられ、視力調整用眼鏡の上からユーザの頭部に装着されるフレーム部と、前記フレーム部に取り付けられ、ユーザの側頭部に保持されるテンプル部と、前記フレーム部に設けられ、前記視力調整用眼鏡の鼻当て部よりも下側でユーザの鼻に接触し、塑性変形可能に構成された鼻当て部と、を備える、画像鑑賞用眼鏡が提供される。
【００１１】
また、上記課題を解決するために、本発明の別の観点によれば、表示装置に表示された画像を左右の眼で視認するための開口が設けられ、視力調整用眼鏡の上からユーザの頭部に装着されるフレーム部と、前記フレーム部に取り付けられ、ユーザの側頭部に保持されるテンプル部と、前記フレーム部に設けられ、ユーザの鼻に対して両側から挟むように接触し、両端の幅が少なくとも１２ｍｍ以上に開く鼻当て部と、を備える、画像鑑賞用眼鏡が提供される。
【発明の効果】
【００１２】
本発明によれば、画像を視認するための眼鏡において、視力矯正用眼鏡と併用した場合に適正な位置に装着することが可能となる。
【図面の簡単な説明】
【００１３】
【図１】眼鏡型液晶シャッターホルダを上側から見た上面図である。
【図２】眼鏡型液晶シャッターホルダの斜視図である。
【図３】眼鏡型液晶シャッターホルダの正面図である。
【図４】眼鏡型液晶シャッターホルダの右側面図である。
【図５】眼鏡型液晶シャッターホルダの斜視した状態とテンプルホルダーを取り外した状態を拡大して示す模式図である。
【図６】眼鏡フレームのテンプルホルダーが装着される部位をフレームの内側から見た状態を示す模式図である。
【図７】テンプルの角度調整構造の詳細を説明するための模式図である。
【図８】スライド片により調整機構を構成した例を示す模式図である。
【図９】テンプルの構成を示す分解斜視図である。
【図１０】視力調整用眼鏡に適応する標準的な寸法を示す模式図である。
【図１１】視力調整用眼鏡に適応する標準的な寸法を示す模式図である。
【図１２】視力調整用眼鏡に適応する標準的な寸法を示す模式図である。
【図１３】眼鏡型液晶シャッターホルダを装着した状態を示す模式図である。
【図１４】眼鏡型液晶シャッターホルダを装着した状態を示す模式図である。
【図１５】、眼鏡型液晶シャッターホルダの鼻当て部の周辺の表面及び裏面を示す模式図である。
【図１６】比較例として鼻当て部の開き量を調整する機構を有していない構成を示す模式図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
１．シャッター眼鏡の構成例
２．テンプルの角度調整構造
３．眼鏡のフィッティングについて
【００１５】
［１．シャッター眼鏡の構成例］
図１〜図５は、本実施形態に係る眼鏡型液晶シャッターホルダー（液晶シャッター眼鏡）１００を示す模式図である。眼鏡型液晶シャッターホルダー１００は、頭部に装着されて、左目用画像と右目用画像とを表示するディスプレイを視認する際に用いられ、３Ｄ(立体)映像を視認するために用いられる。眼鏡型液晶シャッターホルダー１００は、偏光角の異なる２枚の偏光板や、左右画像と同期した偏光状態を交互に切り替えることが可能な２枚の液晶シャッターを収納している。また、眼鏡型液晶シャッターホルダー１００は、ディスプレイ側から送信された赤外線を検出する赤外線検出部、液晶シャッターの駆動回路や駆動のためバッテリー等を収納している。ここで、図１は、眼鏡型液晶シャッターホルダ１００を上側から見た上面図であり、図２は、眼鏡型液晶シャッターホルダ１００の斜視図である。また、図３は、眼鏡型液晶シャッターホルダ１００の正面図であり、図４は、眼鏡型液晶シャッターホルダ１００の右側面図である。
【００１６】
本実施形態に係る眼鏡型液晶シャッターホルダ１００は、ユーザが通常の視力矯正用眼鏡を装着した状態で、視力矯正用眼鏡の上から装着可能に構成されている。また、眼鏡型液晶シャッターホルダ１００は、大人から子供まで、様々な頭、顔の大きさに対応して装着できるように構成されている。また、本実施形態では、眼鏡フレームを支えるための鼻当て部１１０にサドル型形状を用い、視力矯正用眼鏡の鼻当て部と干渉しない配置を選択している。鼻当て部１１０は、鼻の中央部附近で鼻と接するための接触面と開き角度を有し、テンプル幅可変機構と合わせ、頭部幅が異なる利用者の使用時でも適正な均一加重を頭部にかけることのできる構造としている。
【００１７】
図１は、眼鏡型ホルダー１００の全体を示し、樹脂製で成型された眼鏡フレーム１０２の両端部(鎧部)が曲面で形成され、その両端部のフレーム端部は、テンプルホルダー部１０６とヒンジ部を介して接続されている。テンプルホルダー部１０６はヒンジ部により折り畳むことが可能である。
【００１８】
眼鏡フレーム１０２には鼻当て部１１０が固定されている。鼻当て部１１０は、サドル型の形状を持ち、眼鏡型液晶シャッターホルダ１００の内側に装着されている視力矯正用眼鏡の鼻当て部と干渉しないように、鼻の中間部附近で鼻と接する形状とされている。これに対して、視力矯正用眼鏡の鼻当て部は、外側に極力露出しないように、右目と左目が最も近接する鼻の上部（目頭の位置）で鼻と接するものが一般的である。鼻当て部１１０の材料は、内部に心材としてステンレス等の金属バネ材を配し、表面は軟性の樹脂で被覆成型されている。このような構成により、鼻当て部１１０は、一定の塑性変形可能な荷重を掛けることにより、鼻に対するパッド面（接触傾斜面）、及び鼻に対する圧力を使用者個人のそれぞれに対応させて微調整することが可能な構造とされている。また、鼻当て部１１０は、鼻につけられる押圧痕跡を避けると同時に安定した装着状態を保つ機能を有している。
【００１９】
テンプル１１２は、テンプルホルダー１０６と一体成形されるか、またはネジ等によりテンプルホルダー１０６と結合されている。テンプル１１２の材質は、内部に心材としてステンレス等の金属バネ材を配し、後頭部や耳に当たるテンプル端部(モダン部附近)形状を微調整可能な構成である。本実施形態では、後述する回転ラチェット機構等による大まかなテンプル幅の変更と、利用者自身による微調整を併用して装着感を増すことを可能としている。
【００２０】
［２．テンプルの角度調整構造］
次に、テンプルの角度調整構造について説明する。図５は、眼鏡型液晶シャッターホルダ１００の斜視図とともに、テンプルホルダー１０６を取り外した状態を拡大した図（拡大図）を示している。また、図６は、眼鏡フレーム１０２のテンプルホルダー１０６が装着される部位をフレーム１０２の内側から見た状態を示している。
【００２１】
図５に示すように、テンプルホルダー１０６には、円柱状の回動部材１１４が装着されており、回動部材１１４は、その中心軸を回転中心として回動可能に構成されている。また、図６に示すように、眼鏡フレーム１０２のテンプルホルダー１０６が装着される部位には、回動部材１１４に対応する位置に溝（凹部）１１６が設けられている。図６に示すように、溝１１６は回動部材１１４の回転中心に対して円弧状に設けられ、回動部材１１４の回転中心に対して、同一の形状の溝１１６が１８０度対向する位置に２箇所設けられている。また、溝１１６の深さは、円弧の円周方向に沿って段階的に変化するように構成されている。
【００２２】
図７は、テンプルの角度調整構造の詳細を説明するための模式図である。ここで、図７（Ａ）は、眼鏡フレーム１０２とテンプルホルダー１０６の連結部を示す斜視図である。また、図７（Ｂ）及び図７（Ｃ）は、図７(Ａ)中の一点鎖線Ｉ−Ｉ’に沿った断面を示す模式図である。図７（Ｂ）は、回動部材１１４の突起１１４ａの位置が凹部１１６の位置に対応している場合を示している。また、図７（Ｃ）は、回動部材１１４の突起１１４ａの位置が凹部１１６の形成されていない部位に位置している場合を示している。
【００２３】
図７（Ｂ）及び図７（Ｃ）に示すように、テンプルホルダー１０６は、眼鏡フレーム１０２に対して、回転軸１１８を中心として回動可能とされ、回転軸１１８によりヒンジ部が構成されている。これにより、テンプルホルダー１０６及びテンプル１１２は、ヒンジ部により折り畳むことが可能である。
【００２４】
また、回動部材（カム）１１４には、板バネ１２０を挟んでビス１２２が締結され、これにより、回動部材１１４はテンプルホルダー１０６に装着されている。これにより、回動部材１１４は、テンプルホルダー１０６に対して、板バネ１２０による摺動抵抗を生じさせながら回動することができ、角度位置が決まると板バネ１２０の摺動抵抗によりその位置が保持される。回動部材１１４の端部には、突起１１４ａが１８０°対向する位置に２箇所設けられている。
【００２５】
眼鏡フレーム１０２の２つの溝１１６は、回動部材１１４が回動した際の突起１１４ａの軌跡に沿って設けられている。回動部材１１４の角度位置に応じて、突起１１４ａが溝１１６の最も深い部位に位置している場合、図７（Ｂ）に示すように、突起１１４ａは溝１１６内に完全に挿入された状態となる。このため、テンプルホルダー１０６の開く角度は最大になる。また、回動部材１１４の角度位置に応じて、突起１１４ａが溝１１６の設けられていない部位に位置している場合、図７（Ｃ）に示すように、突起１１４ａは溝１１６が設けられていない平面に当接する。このため、テンプルホルダー１０６の開く角度は最小になる。
【００２６】
溝１１６の深さは、所定の角度毎に異なるように設定されている。ビス１２２の頭には、一例としてマイナス（−）形状の溝が設けられており、マイナスドライバー、コインなどを溝に係合させてビス１２２を回動させることにより、ビス１２２と回動部材１１４を共に回動させることができる。一例として、突起１１４ａが溝１１６の最も深い部位に位置している場合に、ビスを６０度回動させると、溝１１６の深さが一段階浅い位置に突起１１４ａの位置が移動する。そして、突起１１４ａの位置が溝１１６の一段階浅い箇所に位置した場合に、例えばテンプルホルダー１０６の開く角度（ヒンジの角度）が約２．５度、狭くなるように溝１１６の深さを設定することができる。また、突起１１４ａが、溝１１６の設けられていない平面に当接した場合は、テンプルホルダー１０６の開く角度（ヒンジの角度）が更に約２．５度狭くなるように構成される。これにより、２段階の開き角度(約５度)の調整が可能となり、２つのテンプル１１２間の幅を初期設定より狭くする調整が可能である。
【００２７】
なお、上述の例では回動部材１１４に２つの突起１１４ａを設けているが、突起１１４ａは１つとしても良く、また３つ以上としても良い。また、上述の回動部材１１４によるテンプル１１２の開き量の調整機構は、一例として示したものであり、スライド片を差込み、複数の頂点を有する山形部を抜き差しする構造でも同様の機能を達成可能である。
【００２８】
図８は、スライド片により調整機構を構成した例を示す模式図である。ここで、図８（Ｂ）は、図７（Ｂ）及び図７（Ｃ）と同様に、図７(Ａ)の一点鎖線Ｉ−Ｉ’に沿った位置に対応する断面を示す模式図である。また、図８(Ａ)は、図８（Ｂ）中の一点鎖線ＩＩ−ＩＩ’に沿った位置での断面を示す模式図である。
【００２９】
図８（Ａ)に示すように、テンプルホルダー１０６の端部には開口１２２が設けられ、開口１２２内にはスライド片１２０が挿入されている。スライド片１２０は開口１２２内で一点鎖線ＩＩ−ＩＩ’に沿った方向に往復移動可能とされている。スライド片１２０には、フレーム１０２と対向する側に突起１２０ａが設けられている。フレーム１０２のスライド片１２０と対向する面には、突起１２０ａの移動方向に沿って段階的に深さが変化する溝１２６が設けられている。また、スライド片１２０の幅方向の側面には、突起１２０ｂが設けられており、突起１２０ｂは、溝１２６の深さに対応して設けられた複数の凹部１２４の１つと係合する。
【００３０】
このような構成によれば、スライド片１２０をスライドさせると、突起１２０ｂが凹部１２４と１つと係合することによって、スライド片１２０の位置が規定される。そして、スライド片１２０の位置に応じて、突起１２０ａが溝１２６と当接する深さが変化するため、図７の場合と同様に、テンプル１１２の開き量を調整することができる。
【００３１】
以上のような構成によれば、例えば初期設定のテンプル幅を１７５ｍｍ、長さを１３０ｍｍとした場合、溝１１４の深さを３段階に設けたとすると、１段階の調整（２．５度の調整）でテンプル幅を１６４ｍｍに縮小することが可能である。更に、２段階目の調整でテンプル幅を１５３ｍｍにすることができ、３段階目の調整で１４１ｍｍに縮小することができ、子供など頭の小さな人への眼鏡型液晶シャッターホルダ１００の装着が可能となる。鼻当て部１１０の調整とテンプル幅調整より頭部サイズの異なる利用者においても、装着時の違和感を感じさせることなく安定装着可能なテンプルバネ圧力を与えることができる。テンプルバネ圧力としては、好ましくは８０〜１２０グラム程度が望ましい。この推奨加重は、複数の者による装着テストの結果から示された平均的な値である。
【００３２】
また、回動部材１１４によりテンプル幅を調整できるため、テンプル１１２の弾性のみで調整する場合と比較すると、過度なテンプルバネ圧力が頭部に加わることを抑止できる。
【００３３】
［３．眼鏡のフィッティングについて］
図１０〜図１２は、視力調整用眼鏡に適応する標準的な寸法を示す模式図である。図１０〜図１２では、視力調整用眼鏡３００の上から眼鏡型液晶シャッターホルダ１００を装着した状態を示している。図１０において、距離ａは、頭部の幅に関する統計的な寸法であり、成人男性から女性までの平均値は、ａ=１６０ｍｍ〜１５２ｍｍである。距離ａの値は、最大１７４ｍｍ程度、最小１４０ｍｍ程度であり、３４ｍｍの可変幅がある。一つの眼鏡ホルダーで頭部の大きさの異なる複数の利用者の装着感を高めるためには、テンプル幅調整にある程度の可変幅が必要となる。
【００３４】
図１１に示す距離ｂは、鼻の間の幅であり、視力調整用眼鏡の眼鏡レンズの大きさ、メガネフレームデザイン形状にも左右される。瞳孔間の幅は、平均値６４ｍｍ〜６１ｍｍ、最大７１ｍｍから最小６１ｍｍと幅がある。レンズフレーム間に残された鼻幅（山幅）は、レンズフレーム形状デザインにもよるが、１４ｍｍから１９ｍｍ程度である。一般的な視力調整用眼鏡の鼻当て部は、デザイン的に眼鏡フレームから飛び出さずに、鼻の上部、目頭付近に設けるものが多用されている。
【００３５】
このため、通常の視力調整用眼鏡の上から装着することを想定した場合、視力矯正用眼鏡のフレームよりも一回り大きい液晶シャッター眼鏡ホルダー１００を用意し、同時にサドル型鼻当て部１１０の形状及び配置位置を最適にする。これにより、液晶シャッター眼鏡ホルダー１００の鼻当て部１１０の鼻への当て位置が、視力調整用眼鏡と干渉しない配置が可能となり２重装着を成立させることができる。
【００３６】
図１２に示す距離ｃは、眼鏡を装着する人の角膜の頂点からレンズ裏面までの距離であり、１２ｍｍが視力調整の際の一般的な標準値とされる。図１２に示す距離ｄは、視力調整用眼鏡のレンズ裏面から耳までのテンプルの長さである。頭部の幅に対応するテンプル幅の調整範囲は、一般的には２０〜８０ｍｍ、好ましくは４０ｍｍ程度と言われている。これに対応するため、通常の視力調整用眼鏡では、弾性を有する比較的高価な合金製や樹脂製のテンプルが用いられることが多い。本実施形態では、テンプル幅の調整と鼻当て部１１０の調整を併用することにより、眼鏡型液晶シャッターホルダー１００が頭部に装着されることになる。この際、テンプル幅調整によるラフな頭部幅への対応と、鼻当て部１１０の利用者個人への微調整の併用により、頭部への締め付け圧力が均一化できることとなり、装着性（フィット感）が著しく向上することになる。また、視力矯正用の眼鏡の左右のテンプルは常に平行とは限らず、装着者の顔幅に合わせて、耳側（顔の後ろ側）ほどテンプル幅を広げた形状のものも存在する。テンプルの先端(モダン)は、直線よりも内側に湾曲しており、後頭部を抱き込む用にフィッティングされるものが多い。
【００３７】
顧客に有った視力矯正用眼鏡を調整するフィッティングは、（１）左右のテンプルと鼻パッドの位置を合わせる、（２）鼻パッドやテンプルの耳までの位置を合わせる、（３）レンズの傾斜角度の調整、（４）フレームのどの位置にレンズの中心を配置するか、によって行われる。
【００３８】
視力矯正用眼鏡では、テンプルの調整と左右の鼻パッドの調整等により、適切なレンズ位置を出すために、テンプルに使用する材料を工夫し、弾性率の小さいチタン合金や、Ｎｉ−Ｔｉ系形状記憶合金などの弾性部材を用いているものがある。また、これらの弾性部材と、柔軟性と耐久性を兼ね備えた超弾性プラスチック(クリスタルイミド樹脂)や弾性率の大きい非結晶サーモプラスチック（ポリエーテルイミド樹脂）を組み合わせているものがある。これにより、テンプルがしなやかに曲がり、且つ、テンプルが折れてしまうことなく、応力が緩和する効果を出す方法や素材を採用している物もある。
【００３９】
しかしながら、視力矯正用眼鏡におけるフィッティングは、メーカー側、または店舗側で行うことを想定しており、また、視力矯正用であることから特定の１人のユーザに対するフィッティングである。従って、個々のユーザに対して、いわば現物合わせのカスタマイズによるフィッティングが行われる。
【００４０】
本実施形態の液晶シャッター眼鏡ホルダー１００は、３Ｄテレビとセットで使用するため、例えば家庭内での使用を想定した場合、大人、子供、男性、女性を問わず、様々な大きさの頭部を有するユーザが使用する。また、ユーザが視力矯正用眼鏡を使用していることも想定されるため、本実施形態の液晶シャッター眼鏡ホルダー１００は、視力矯正用眼鏡レンズホルダーに重ねて使用することを目的としている。
【００４１】
このため、上述したラチェット式の調整機構による段階的なテンプルの開き角度の調整とともに、テンプル自体を塑性変形可能に構成して、大人から子供まで、また男性、女性を問わず、様々な大きさの頭部を有するユーザに最適なフィッティングを可能としている。
【００４２】
図９は、テンプル１１２の構成を示す分解斜視図である。テンプル部１１２の材質に関しては、内部に心材としてステンレス等のバネ材１１２ａを設け、フィット感向上のため表面をエラストマーなどの樹脂材１１２ｂで被覆したテンプル構造としている。なお、バネ材１１２ａ及び樹脂材１１２ｂは、テンプルホルダー１０６とともに一体成形により構成することができる。これにより、テンプル１１２は、ユーザが手で曲げることにより塑性変形させることが可能である。そして、好みの形状に塑性変形させた状態では、テンプル１１２は曲がりが戻る範囲で弾性変形できるため、例えば頭部幅よりも少し小さい幅まで塑性変形させることにより、頭部に装着した際には弾性変形によりテンプル１１２が少し拡がるため、弾性を利用した頭部への保持が可能である。また、テンプル１１２の変形と併用して、上述したような回動部材１１４の回転によるテンプル幅の２〜４段階調整を行う。これにより、頭部幅の異なる使用者への装着感を最適に微調整することが可能となる。心材としてステンレス等のバネ材１１２ａを使用することで、通常の眼鏡に使用するような高価な材料を使用する必要が無く、製造コストを低減することができる。また、塑性変形を更に容易にするため、バネ材１１２ａに孔、切り欠き等を設けてもよい。
【００４３】
図１３及び図１４は、眼鏡型液晶シャッターホルダ１００を装着した状態を示す模式図であって、ユーザの頭部を上から見た状態を示している。図１１及び図１２において、左側に示す図は、テンプル１１２及び鼻当て部１１０をフィッティングしていない状態を示している。また、右側に示す図は、テンプル１１２及び鼻当て部１１０をユーザの頭、鼻に適合するように変形させてフィッティングした状態を示している。
【００４４】
図１３は、ユーザが大人であり、頭部が通常の成人の大きさの場合を示している。この場合、回動部材１１４の突起は、溝１１６の最も深い箇所に対応する位置に設定され、テンプル１１２の開き量は最大となる。そして、眼鏡型液晶シャッターホルダ１００を頭部に装着した後、テンプル１１２を頭部に沿って屈曲させる。これにより、ユーザが大人の場合に、最適な状態で眼鏡型液晶シャッターホルダ１００を頭部にフィッティングすることができる。
【００４５】
また、図１４は、ユーザが小人であり、頭部が比較的小さい場合を示している。この場合、回動部材１１４の突起は、溝１１６が形成されていない位置に設定され、テンプル１１２の開き量は最小となる。そして、眼鏡型液晶シャッターホルダ１００を頭部に装着した後、テンプル１１２を頭部に沿って屈曲する。これにより、ユーザが小人の場合に、テンプル幅を十分に小さくすることができ、眼鏡型液晶シャッターホルダ１００を頭部に最適にフィッティングすることができる。
【００４６】
また、サドル型の鼻当て部１１０は、通常の眼鏡に使用する鼻当て部位置よりも下側の位置で鼻と接するように構成される。これにより、視力矯正用眼鏡３００の鼻当て部３０２と、液晶シャッター眼鏡ホルダー１００の鼻当て部１１０が干渉してしまうことを抑えることができ、双方の鼻当て部が確実に鼻に接する構造とすることができる。
【００４７】
本実施形態の眼鏡型液晶シャッターホルダ１００では、サドル型の鼻当て部１１０に関してもテンプル部と同様に、心材と被覆材の２重構成を採用している。心材としては、ステンレス等のバネ材を用い、その表面をエラストマーなどの樹脂材で被覆した構成とする。これにより、鼻当て部１１０は通常の変形の他、ねじりによる変形なども含めて自在に変形可能であり、利用者が最適に変形させることにより、最適なフィッティングが可能である。
【００４８】
図１５は、眼鏡型液晶シャッターホルダ１００の鼻当て部１１０の周辺の表面及び裏面（顔に面した側）を示す模式図である。鼻当て部１１０は、図１５に示す固定位置の近辺でフレーム１０２に固定されている。ユーザが大人であり、鼻の大きさ、幅が比較的大きい場合（通常の成人の大きさの場合）、鼻の幅に合わせて鼻当て部１１０の開き量を大きく調節することで、鼻の大きさに合わせたフィッティングが可能となる。
【００４９】
また、ユーザが小人であり、鼻の大きさ、幅が比較的小さい場合、鼻の幅に合わせて鼻当て部１１０の開き量を小さく調節することで、鼻の大きさに合わせたフィッティングが可能となる。
【００５０】
また、鼻当て部１１０の開き量を調整することで、図１０に示す鼻当て部１１０先端の位置ｈｂ、及び図１１に示す鼻当て部１１０先端の深さｈｃを調整することができる。これにより、視力矯正用眼鏡の上から眼鏡型液晶シャッターホルダ１００を装着した場合に、視力矯正用眼鏡の鼻当て部と眼鏡型液晶シャッターホルダ１００の鼻当て部１１０とが干渉してしまうことを抑止できる。また、眼鏡型液晶シャッターホルダ１００の上下方向の位置を適正にすることができる。
【００５１】
図１６は、比較例として鼻当て部１１０の開き量を調整する機構を有していない場合を示している。この場合、視力矯正用眼鏡３００と干渉しないように眼鏡型液晶シャッターホルダ１００の位置を前に出すと、眼鏡型液晶シャッターホルダ１００が下側にずり落ちてしまう弊害が生じる。この場合、液晶シャッターの開口位置が下にずれてしまうため、ディスプレイの映像の一部が欠けてしまうなどの問題が生じる。
【００５２】
本実施形態に係る眼鏡型液晶シャッターホルダ１００では、鼻当て部１１０の長さを十分に長くして、開き量を調整可能としているため、眼鏡型液晶シャッターホルダ１００を視力矯正用眼鏡３００から離した場合であっても、鼻当て部１１０の先端の幅ｈａ、先端の位置ｈｂ、及び鼻当て部１１０先端の深さｈｃを調整することで、液晶シャッターの位置を光軸に合わせることが可能である。
【００５３】
また、鼻当て部１１０の開き量ｈａについては、視力矯正用眼鏡との干渉を抑えるため、視力矯正用眼鏡の鼻当て部よりも大きく開くように構成する。ここで、視力矯正用眼鏡の鼻当て部の幅（図１０に示す幅ｂ）は、平均的な鼻幅の値として１６ｍｍ〜１８ｍｍ程度で作られている。また、子供用の眼鏡では、鼻幅は１４ｍｍ〜１５ｍｍ程度であり、幼児用含めると最小のものは１２ｍｍ程度である。このため、開き量ｈａを１２ｍｍ以上に調整可能とすることにより、大人から子供まで全ての視力矯正用眼鏡の上から装着することが可能である。
【００５４】
眼鏡型液晶シャッターホルダ１００は、視力矯正用眼鏡ホルダーの上から装着するため、視力矯正用眼鏡ホルダーの標準的外形より、一回り大きくする必要がある。このため、鼻当て部１１０の鼻に当たる部分の位置を下方に下げる必要が有り、鼻下部先端の当たり幅ｈａは２０ｍｍ程度となる。光軸に対しては、その下方に２５ｍｍ(＝ｈｂ)程度の位置に先端を配置する。角膜表面に対する距離方向としては、通常の眼鏡レンズ裏面との距離は１２ｍｍが標準値なので、１３ｍｍ(＝ｈｃ)以上、２重着用が可能となる本実施形態では、眼鏡型液晶シャッター眼鏡ホルダー１００の裏面が眼鏡レンズ、フレームに当たらない高さを要することが好ましい値である。通常の視力矯正用眼鏡着用者の習慣的な着用位置との関係も考慮する必要が有るが、大きめの眼鏡型液晶シャッターホルダ１００と鼻当て部１１０の位置の配置との関係で眼鏡との光軸を微妙にずらしても立体映像視聴には、性能的に問題は生じない。
【００５５】
以上の構造を採用することで、男性、女性、大人、子供を問わず、一つの液晶シャッター眼鏡ホルダー１００で全てのニーズを満足することが可能となる。また、視力矯正用眼鏡使用者や異なる頭部の幅を有する利用者に対しても、高価な材料を使用することなく、回転ラチェット機構やスライド機構による２〜４段階のテンプル幅調整と微調整可能な構造の併用により、容易に立体映像視聴用の液晶シャッター眼鏡装着と装着感の向上を図ることが可能となる。成人男性から女性（子供）まで頭部幅の最大値とされる１７５ｍｍから１４０ｍｍ程度までの頭部幅に対しては、ラチェット機構によるテンプル幅の段階調節とテンプル自体のバネ性の効果により利用者個々への最適化が可能である。
【００５６】
また、通常の掛け外し操作では、テンプル１１２の恒久的な塑性変形を防止しつつ、テンプル１１２の端部（モダン部）を頭部の曲率に合わせた湾曲カーブや耳の曲がりに合わせて調整することができる。そして、これらの調整等をユーザ自身が極めて容易に行うことが可能である。
【００５７】
以上説明したように、本実施形態によれば、視力矯正用眼鏡の上から装着される眼鏡型液晶シャッターホルダ１００において、鼻当て部１１０を塑性変形可能とし、鼻当て部１１０の先端位置、開き量を調整できるようにした。これにより、視力矯正用眼鏡の上から装着した場合においても、光軸上の適正な位置に装着することが可能となる。
【００５８】
また、本実施形態によれば、耳掛け部に当たるテンプル部にヒンジ部と回転ラチェット機構を有し、段階的に頭部に当たる幅を可変することが可能となる。テンプル幅を可変する為の回動部材１１４に突出部１１４ａを設け、対応する面に段階的に深さの変化する溝１１６を設け、回動部材１１４の角度変更操作により、眼鏡フレームとテンプル取り付けの角度を段階的に切り替えることが可能となる。これらの構造により、初期形状から、利用者の平均的頭部幅、最大１７５ｍｍから１４０ｍｍ程度に合ったサイズへの段階調節を利用者自身が容易に行うことが可能となり、一つの液晶シャッター眼鏡の付属のみで、頭部幅の異なる複数の利用者への適用が可能となる。
【００５９】
また、眼鏡フレームのテンプル１１２は、内部に心材としてステンレス等のバネ性を有するバネ材１１２ａを有しており、表面は軟性の樹脂１１２ｂで被覆形成されているので、テンプル１１２自体に塑性変形可能な加重を加えることにより形状の微調整が可能である。これにより、高価な材料を使用することなく、また、通常の視力矯正用眼鏡の微調整時に実施するような、熟練技術や特殊な装置やジグで対応することなく、利用者自身が個人の装着感を増す為の微調整を図ることが可能となっている。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６１】
１００    眼鏡型液晶シャッターホルダー
１０２    フレーム
１１０    鼻当て部
１１２    テンプル
【図１】
2011065017.tif 000003
【図２】
2011065017.tif 000004
【図３】
2011065017.tif 000005
【図４】
2011065017.tif 000006
【図５】
2011065017.tif 000007
【図６】
2011065017.tif 000008
【図７】
2011065017.tif 000009
【図８】
2011065017.tif 000010
【図９】
2011065017.tif 000011
【図１０】
2011065017.tif 000012
【図１１】
2011065017.tif 000013
【図１２】
2011065017.tif 000014
【図１３】
2011065017.tif 000015
【図１４】
2011065017.tif 000016
【図１５】
2011065017.tif 000017
【図１６】
2011065017.tif 000018